(57)【要約】【課題】大型化を抑制しつつデザイン性を確保することができる照明機能付きの送風装置を提供する。【解決手段】ケーシング部４は、上下両方の端部が開口した筒形状を有しており、上端部側から下端部側の内部に、ファン６、電動機５、ソケット７が順に配置されている。支持部１０は、ケーシング部４における上端部に取り付けられてケーシング部４を支持する。引掛けシーリングキャップ１１は、支持部１０に設けられ、引掛けシーリングボディ３と係合して電気的に接続され機械的に支持される係合部１１ａを有する。【選択図】図１
2018003771.tif 000002
【特許請求の範囲】
【請求項１】
両方の端部が開口した筒形状を有しており、一方の端部側から他方の端部側の内部に、ファン、前記ファンを回転駆動させる電動機、照明用光源の装着部が前記他方の端部側に向けられたソケットが順に配置されたケーシング部と、
前記ケーシング部における前記一方の端部に取り付けられて、前記ケーシング部を支持する支持部と、
前記支持部に設けられ、取り付け対象箇所に設けられた引掛けシーリングボディと係合して電気的に接続され機械的に支持される係合部を有した引掛けシーリングキャップと
を備えたことを特徴とする送風装置。
【請求項２】
前記ファンは、前記ケーシング部の内周面と前記ソケットに装着された照明用光源との間に空気を送風させることを特徴とする請求項１記載の送風装置。
【請求項３】
前記支持部は、
一方の面上に前記引掛けシーリングキャップが取り付けられた板状部材と、
前記板状部材における他方の面から突出して設けられ、前記ケーシング部における前記一方の端部に取り付けられる複数の支柱と、
前記板状部材における前記一方の面の外縁に沿って突出して設けられ、前記一方の面上に取り付けられた前記引掛けシーリングキャップの周りを囲む化粧カバーとを備えたことを特徴とする請求項１または請求項２記載の送風装置。
【請求項４】
前記板状部材における前記一方の面上で前記化粧カバーにより囲まれた空間内に設けられた制御回路部を備えたことを特徴とする請求項３記載の送風装置。
【請求項５】
前記制御回路部は、
前記引掛けシーリングキャップの接点と電気的に接続された第１の接続部と、
リモートコントローラから送信された制御信号を受信する受信部と、
前記受信部によって受信された制御信号に基づいて、前記電動機の動作を制御し、前記ソケットに装着された照明用光源の照明状態を制御する制御回路と、
前記電動機と電気的に接続された第２の接続部と、
前記ソケットと電気的に接続された第３の接続部とを備えたことを特徴とする請求項４記載の送風装置。
【請求項６】
前記制御回路は、前記電動機の回転方向を切り替えることを特徴とする請求項５記載の送風装置。
【請求項７】
前記ケーシング部に設けられて、リモートコントローラから送信された制御信号を受信する受信部を有した受信ユニットを備え、
前記制御回路部は、
前記引掛けシーリングキャップの接点と電気的に接続された第１の接続部と、
前記受信部によって受信された制御信号に基づいて、前記電動機の動作を制御し、前記ソケットに装着された照明用光源の照明状態を制御する制御回路と、
前記電動機と電気的に接続された第２の接続部と、
前記ソケットと電気的に接続された第３の接続部とを備えたことを特徴とする請求項４記載の送風装置。
【請求項８】
人体の存否を検知する人感センサを備え、
前記制御回路は、前記人感センサにより検知された人体の存否に応じて、前記電動機の動作の制御、またはソケットに装着された照明用光源の照明状態を制御することを特徴とする請求項５から請求項７のうちのいずれか１項記載の送風装置。
【請求項９】
前記人感センサは、前記制御回路部または前記受信ユニットに設けられたことを特徴とする請求項７記載の送風装置。
【請求項１０】
前記ケーシング部は、内筒部と外筒部とが伸縮自在に入れ子状に組み合わされた構造を有することを特徴とする請求項１から請求項９のうちのいずれか１項記載の送風装置。
【請求項１１】
前記ケーシング部の一部または全部は、半透明または透明であることを特徴とする請求項１から請求項１０のうちのいずれか１項記載の送風装置。
【請求項１２】
前記ファンは、前記ケーシング部における前記一方の端部側または前記他方の端部側の開口に加え、前記内筒部の外周面と前記外筒部の内周面との隙間を吸い込み口として空気を送風することを特徴とする請求項１０記載の送風装置。
【発明の詳細な説明】
【技術分野】
【０００１】
この発明は、照明機能付きの送風装置に関する。
【背景技術】
【０００２】
従来から、照明機能付きの送風装置が知られている。例えば、特許文献１に記載される空気流動装置は、円筒型ケーシングの内部にファン、電動モータ、ソケット、照明用ランプが収容されており、照明機能付きの送風装置として機能する。
また、この装置では、円筒型ケーシングの内部の上端側にファンが配置され、下端側に照明用ランプが配置されている。照明用ランプからの光は、透明の整風カバーを透過して円筒型ケーシングの下方の被照明面に照射される。また、この装置は、円筒型ケーシングの外周部に設けられた取り付け部材を介して、天井面などの取り付け対象箇所に取り付けられる。
【先行技術文献】
【特許文献】
【０００３】
【特許文献１】実公平３−４１２２１号公報
【発明の概要】
【発明が解決しようとする課題】
【０００４】
しかしながら、上記取り付け部材は、円筒型ケーシングの外周部に一端部が接続され、他端部が円筒型ケーシングの上端よりも上方向に延びた大きな部材であるので、装置全体が大きくなって外観が野暮ったくなるという課題があった。
さらに、特許文献１には、電動モータおよび照明用ランプに給電する構造が記載されておらず、給電用の電源コードを円筒型ケーシングの外部に引き出して外部電源に接続する構造が予想される。この構造では、円筒型ケーシングの外部に電源コードも露出することになるので、装置のデザイン性はさらに損なわれる。
【０００５】
この発明は上記課題を解決するもので、大型化を抑制しつつデザイン性を確保することができる照明機能付きの送風装置を得ることを目的とする。
【課題を解決するための手段】
【０００６】
この発明に係る送風装置は、ケーシング部、支持部および引掛けシーリングキャップを備える。ケーシング部は、両方の端部が開口した筒形状を有しており、一方の端部側から他方の端部側の内部に、ファン、ファンを回転駆動させる電動機、照明用光源の装着部が他方の端部側に向けられたソケットが順に配置される。支持部は、ケーシング部における一方の端部に取り付けられて、ケーシング部を支持する。引掛けシーリングキャップは、支持部に設けられ、取り付け対象箇所に設けられた引掛けシーリングボディと係合して電気的に接続され機械的に支持される係合部を有している。
【発明の効果】
【０００７】
この発明によれば、取り付け対象箇所に設けられた引掛けシーリングボディに引掛けシーリングキャップが電気的に接続され機械的に支持されるので、ケーシング部の外周部に送風装置の取り付け部材を設ける必要がない。これにより送風装置の大型化を抑制しつつデザイン性を確保することができる。
【図面の簡単な説明】
【０００８】
【図１】この発明の実施の形態１に係る送風装置の構成を示す断面図である。
【図２】実施の形態１に係る送風装置の構成を示す分解斜視図である。
【図３】一般電球形の電球が装着された実施の形態１に係る送風装置の外観、風ベクトルおよび電球の配光範囲を示す側面図である。
【図４】ボール電球形の電球が装着された実施の形態１に係る送風装置の外観、風ベクトルおよび電球の配光範囲を示す側面図である。
【図５】ビームランプ形の電球が装着された実施の形態１に係る送風装置の外観、風ベクトルおよび電球の配光範囲を示す側面図である。
【図６】ファンを逆回転させた実施の形態１に係る送風装置の外観、風ベクトルおよび電球の配光範囲を示す側面図である。
【図７】実施の形態１に係る送風装置の変形例を示す断面図である。
【図８】実施の形態１に係る送風装置の変形例を示す分解斜視図である。
【図９】この発明の実施の形態２に係る送風装置の構成を示す断面図である。
【図１０】図１０Ａは、ケーシング部を伸長させた実施の形態２に係る送風装置の外観、風ベクトルおよび電球の配光範囲を示す側面図である。図１０Ｂは、ケーシング部を縮小させた実施の形態２に係る送風装置の外観、風ベクトルおよび電球の配光範囲を示す側面図である。
【図１１】図１１Ａは、ケーシング部を伸長させた実施の形態２に係る送風装置の変形例の外観、風ベクトルおよび電球の配光範囲を示す側面図である。図１１Ｂは、ケーシング部を縮小させた実施の形態２に係る送風装置の変形例の外観、風ベクトルおよび電球の配光範囲を示す側面図である。
【図１２】この発明の実施の形態３に係る送風装置の構成を示す断面図である。
【図１３】この発明の実施の形態４に係る送風装置の構成を示す断面図である。
【発明を実施するための形態】
【０００９】
実施の形態１．
図１は、この発明の実施の形態１に係る送風装置１の構成を示す断面図であり、室内の天井面２に送風装置１を取り付けた様子を示している。また、図２は送風装置１の構成を示す分解斜視図である。図１に示すように、取り付け対象箇所である天井面２には、引掛けシーリングボディ３が配置されている。引掛けシーリングボディ３は、電源配線に接続された雌型の配線器具である。送風装置１は、引掛けシーリングボディ３に装着され、引掛けシーリングボディ３を通して給電される。
【００１０】
送風装置１のケーシング部４は、図１および図２に示すように、上下両方の端部が開口した円筒形状を有しており、上端部側から下端部側の内部に、ファン５、電動機６、ソケット７が順に配置されている。ここで、ソケット７は、取り付け部材８によって、照明用光源９の装着部７−１がケーシング部４の下端部側に向けられた状態で取り付けられる。また、ケーシング部４の上端部には、支持部１０が取り付けられる。
【００１１】
支持部１０は、板状部材１０ａ、３つの支柱１０ｂおよび化粧カバー１３を備える。
板状部材１０ａの上面には、引掛けシーリングキャップ１１と制御回路部１２が設けられる。３つの支柱１０ｂは、板状部材１０ａの下面の３箇所からそれぞれ突出して設けられ、ケーシング部４の上端部に取り付けられる。
また、化粧カバー１３は、板状部材１０ａの上面の外縁に沿って突出して設けられて、引掛けシーリングキャップ１１および制御回路部１２の周りを囲んでいる。
【００１２】
引掛けシーリングキャップ１１は、係合爪１１ａを有した雄型の配線器具である。この引掛けシーリングキャップ１１の係合爪１１ａは、引掛けシーリングボディ３に引っ掛け係合される。これにより、引掛けシーリングボディ３と引掛けシーリングキャップ１１とが電気的に接続され、引掛けシーリングキャップ１１が引掛けシーリングボディ３に機械的に支持される。すなわち、引掛けシーリングキャップ１１の接点が、引掛けシーリングボディ３を通して電源配線に電気的に接続され、支持部１０が引掛けシーリングボディ３に取り付けられる。
なお、電動機６の振動が天井面２に伝搬することを防止するために、支持部１０の化粧カバー１３が天井面２に接する端部に、パッキンなどの振動吸収部材を設けてもよい。
【００１３】
制御回路部１２は、板状部材１０ａの上面で、化粧カバー１３に囲まれた空間内に設けられる。なお、図２に示すように、制御回路部１２は、板状部材１０ａに設けられた収容ボックス部１０ｃの内部に収容されていてもよい。
また、制御回路部１２は、制御回路１２ａ、入力コード接続部１２ｂ、出力コード接続部１２ｃ，１２ｄおよびリモコン受光部１２ｅを備える。
制御回路１２ａは、リモコン受光部１２ｅによってリモートコントローラ（以下、リモコンと記載する）１００から受信された制御信号に基づいて、電動機６の動作を制御し、ソケット７に装着された照明用光源９の照明状態を制御する。
【００１４】
入力コード接続部１２ｂは、この発明における第１の接続部を具体化したものであり、電源入力コード１４ａを介して引掛けシーリングキャップ１１の接点と電気的に接続されている。出力コード接続部１２ｃは、この発明における第２の接続部を具体化したものであり、電源出力コード１４ｂを介して電動機６と電気的に接続されている。さらに、出力コード接続部１２ｄは、電源出力コード１４ｃを介してソケット７と電気的に接続されている。
【００１５】
引掛けシーリングキャップ１１が引掛けシーリングボディ３に取り付けられると、この引掛けシーリングボディ３を通して引掛けシーリングキャップ１１の接点と電源配線とが電気的に接続される。これにより、入力コード接続部１２ｂには、電源入力コード１４ａを通して電源配線の電力が入力される。このとき、制御回路１２ａが、入力コード接続部１２ｂからの電力を出力コード接続部１２ｃに出力することで、電源出力コード１４ｂを通して電動機６に電力が供給される。また、制御回路１２ａが、入力コード接続部１２ｂからの電力を出力コード接続部１２ｄに出力することで、電源出力コード１４ｃを通してソケット７に電力が供給される。
【００１６】
リモコン受光部１２ｅは、この発明における受信部を具体化したものである。例えば、リモコン受光部１２ｅは、リモコン１００から発せられた赤外線信号を受光し、受光した赤外線信号をデコードして制御信号を生成し、制御回路１２ａに出力する。
なお、化粧カバー１３には、図１に示すように受光用窓１２ｆが設けられている。リモコン受光部１２ｅは、受光用窓１２ｆを介してリモコン１００から発せられた赤外線信号を受光する。
【００１７】
ファン５は、回転駆動して気流を発生させることによって、ケーシング部４の内周面とソケット７に装着された照明用光源９との間に空気を送風させる。
例えば、ファン５を正回転させた場合に、ケーシング部４の上方の開口部１５ａが空気の吸い込み口となり、下方の開口部１５ｂが空気の吹き出し口となる。ファン５を逆回転させると、開口部１５ａが吹き出し口、開口部１５ｂが吸い込み口となる。
【００１８】
電動機６は、電源出力コード１４ｂを通して電力が供給されると、回転軸に取り付けられたファン５を回転駆動させる。
なお、ケーシング部４の内周部には、図１および図２に示すように、径方向内側に突出した取り付け脚部４ａが設けられており、電動機６は、ねじ止めなどの固定方法を用いて取り付け脚部４ａに取り付けられる。
【００１９】
ソケット７は、電源出力コード１４ｃを通して供給された電力によって、装着部７−１に装着された照明用光源９を発光させる。なお、ソケット７は、ＪＩＳ規格に規定される口金に対応しており、Ｅ２６などのねじ込み式の口金を有した電球の装着が可能である。
また、照明用光源９には、例えば、一般電球形の電球９ａ、ボール電球形の電球９ｂ、ビームランプ形の電球９ｃなどがある。
【００２０】
取り付け部材８は、図２に示すように板状部材８ａおよび脚部８ｂを備える。板状部材８ａの下面には、ねじ止めなどの固定方法を用いてソケット７が取り付けられ、３つの脚部８ｂが、板状部材８ａの外縁の３箇所からそれぞれ上方に延びている。
また、脚部８ｂは、ソケット７が板状部材８ａに取り付けられた状態で、ねじ止めなどの固定方法を用いて取り付け脚部４ａに取り付けられる。脚部８ｂは、板状部材８ａから上方に延びているので、図１に示すように、電動機６と板状部材８ａとの間には、隙間が形成されている。これにより、電動機６で発生してソケット７側に伝わる振動を軽減することができる。
【００２１】
ベルマウス１６は、図２に示すようなラッパ形状の部材であり、ファン５を通した状態で配置されてケーシング部４の開口部１５ａを縮径させる。すなわち、ベルマウス１６によって、送風装置１の空気の吸い込み口が形成される。
また、開口部１５ａの縁部には、径方向内側に突出した取り付け脚部４ｂが設けられている。ベルマウス１６は、図１に示すように、取り付け脚部４ｂと支柱１０ｂに挟まれた状態で、ねじ止めなどの固定方法を用いてケーシング部４の上端部に取り付けられる。
【００２２】
なお、これまで支持部１０をケーシング部４にねじ止めする場合を示したが、カシメで固定してもよい。
また、図１および図２では、ケーシング部４とベルマウス１６とが別部品である場合を示したが、ベルマウス１６は、ケーシング部４の上端部と一体に形成されていてもよい。
【００２３】
図３は、一般電球形の電球９ａが装着された送風装置１の外観、風ベクトルＡ１，Ｂ１および電球９ａの配光範囲Ｃ１を示す側面図である。また、図３では、支柱１０ｂに固定ルーバー１０ｄを設けた構造の外観を示している。
電動機６によってファン５を正回転させることで、開口部１５ａが吸い込み口となり、天井面２の近傍の空気が開口部１５ａに吸い込まれる。風ベクトルＡ１は、開口部１５ａに吸い込まれる気流の状態を示している。
なお、風ベクトルでは、矢の向きが空気の向き、矢の面積が空気量（単位時間あたりに移動する空気の量）、矢の長さが速さ（単位時間あたりに空気が移動する距離）を示している。
【００２４】
開口部１５ａに吸い込まれた空気は、ケーシング部４の内周面とソケット７に装着された一般電球形の電球９ａとの間を通って開口部１５ｂから吹き出される。例えば、ケーシング部４の内径と電球９ａの外径との差に相当する間隔の隙間を通った空気は、風ベクトルＢ１で示すような気流となる。風ベクトルＢ１の空気は、ケーシング部４の直下に向かって吹き出される。
また、電球９ａでは、図３に示すように主に直下方向を照らす配光範囲Ｃ１となる。
【００２５】
図４は、ボール電球形の電球９ｂが装着された送風装置１の外観、風ベクトルＡ１，Ｂ２および電球９ｂの配光範囲を示す側面図である。また、図４においても図３と同様に、支柱１０ｂに固定ルーバー１０ｄを設けた構造の外観を示している。
ファン５を正回転させることで、天井面２の近傍の空気は、風ベクトルＡ１で示す気流となって開口部１５ａに吸い込まれる。開口部１５ａに吸い込まれた空気は、ケーシング部４の内周面とソケット７に装着されたボール電球形の電球９ｂとの間を通って開口部１５ｂから吹き出される。
【００２６】
ボール電球形の電球９ｂは、一般電球形の電球９ａよりも外径寸法が大きいので、ソケット７に電球９ａが装着された場合に比べてケーシング部４の内周面と電球９ｂとの間隔が狭くなっている。これにより、ケーシング部４の内周面と電球９ｂとの間を通った空気は、風ベクトルＢ２で示すような気流となる。風ベクトルＢ２の空気は、開口部１５ａに吸い込まれたときよりも速い速度でケーシング部４の直下に向かって吹き出される。
また、電球９ａよりも外径が大きい電球９ｂでは、図４に示すように、電球９ａよりも広い配光範囲Ｃ２となっている。
【００２７】
図５は、ビームランプ形の電球９ｃが装着された送風装置１の外観、風ベクトルＡ１，Ｂ３および電球９ｃの配光範囲Ｃ３を示す側面図である。
ファン５を正回転させることで、天井面２の近傍の空気は、風ベクトルＡ１で示す気流となって開口部１５ａに吸い込まれる。開口部１５ａに吸い込まれた空気は、ケーシング部４の内周面とソケット７に装着されたビームランプ形の電球９ｃとの間を通って開口部１５ｂから吹き出される。
【００２８】
ビームランプ形の電球９ｃの本体部は、光が照射される大径面部からテーパ状に縮径された形状を有しており、ソケット７に装着された状態で電球９ｂよりもケーシング部４の内周面との間隔が広くなっている。これにより、ケーシング部４の内周面と電球９ｃとの間を通った空気は、風ベクトルＢ３で示すような気流となる。風ベクトルＢ３の空気は、開口部１５ａに吸い込まれたときとほぼ同じ速度で電球９ｃの本体部分の外周に沿って吹き出される。
また、電球９ｃでは、主に直下方向を照らす配光範囲Ｃ３となる。
【００２９】
図６は、ファン５を逆回転させた送風装置１の外観、風ベクトルＡ２，Ｂ４および電球９ａの配光範囲Ｃ１を示す側面図であって、図３の送風装置１のファン５を逆回転させた場合を示している。まず、制御回路１２ａが、リモコン１００から受信された制御信号に従って、電動機６の回転方向を逆回転に切り替える。
【００３０】
ファン５が逆回転することによって、開口部１５ｂが吸い込み口となり、送風装置１の下方の空気が開口部１５ｂに吸い込まれる。図６に示す風ベクトルＡ２は、開口部１５ｂに吸い込まれる気流の状態を示している。
【００３１】
開口部１５ｂに吸い込まれた空気は、ケーシング部４の内周面とソケット７に装着された電球９ａとの間を通ってから、支持部１０における板状部材１０ａの下面にぶつかる。
板状部材１０ａの下面に衝突した空気は、気流の旋回力によって、開口部１５ａの全周から天井面２に平行な、風ベクトルＢ４で示す気流となって吹き出される。
【００３２】
なお、Ｅ２６口金に対応する装着部７-１のソケット７を示したが、これ以外の口金に対応するソケットを採用してもよい。
図７は、フラット型電球９ｄの装着が可能な送風装置１Ａを示す断面図であり、室内の天井面２に送風装置１Ａを取り付けた様子を示している。図８は、図７の送風装置１Ａを示す分解斜視図である。フラット型電球９ｄは、この発明における照明用光源を具体化したものであり、口金として係合爪９ｄ−１を有した薄型のランプである。
【００３３】
送風装置１Ａは、図１に示した送風装置１と基本的な構造は同一であるが、ソケット７の代わりに、ＧＸ５３−１ａ口金に対応した装着部７Ａ−１を有するソケット７Ａを備えている。ソケット７Ａは、電源出力コード１４ｃを通して供給された電力によって、装着部７Ａ−１に装着されたフラット型電球９ｄを発光させる。
【００３４】
装着部７Ａ−１は、Ｅ２６などの口金がねじ込まれる穴部はなく、フラット型電球９ｄの係合爪９ｄ−１が差し込まれる差込穴７Ａ−２を有する。
フラット型電球９ｄは、係合爪９ｄ−１を差込穴７Ａ−２に差し込んだ状態で回転されると、係合爪９ｄ−１が差込穴７Ａ−２に引っ掛け係合してソケット７Ａに装着される。
【００３５】
フラット型電球９ｄの厚さは、図７および図８に示すように、電球９ａ，９ｂ．９ｃの高さ寸法に比べて薄くなっている。また、ソケット７Ａは、Ｅ２６などの口金をねじ込む穴がない分だけ薄い構造となっている。このように、フラット型電球９ｄおよびソケット７Ａが薄くなっているので、ケーシング部４の長さを短くすることが可能である。
【００３６】
以上のように、実施の形態１に係る送風装置１，１Ａにおいて、ケーシング部４は、上下端部が開口した筒形状を有しており、上端部側から下端部側の内部に、ファン５、電動機６、ソケット７が順に配置されている。支持部１０は、ケーシング部４における上端部に取り付けられて、ケーシング部４を支持する。引掛けシーリングキャップ１１は、支持部１０に設けられ、引掛けシーリングボディ３と係合して電気的に接続され機械的に支持される係合爪１１ａを有している。このように、天井面２に設けられた引掛けシーリングボディ３に引掛けシーリングキャップ１１が電気的に接続され機械的に支持されるので、ケーシング部４の外周部に送風装置１，１Ａの取り付け部材を設ける必要がない。これにより、送風装置１，１Ａの大型化を抑制しつつ、デザイン性を確保することができる。
また、ケーシング部４にファン５、電動機６、ソケット７が収容され、ケーシング部４の外周から突出した部材がないことから、コンパクトにスッキリした外観で、埃が堆積しにくい送風装置１，１Ａを実現することができる。
【００３７】
また、実施の形態１に係る送風装置１，１Ａにおいて、ファン５は、ケーシング部４の内周面とソケット７に装着された照明用光源９との間に空気を送風させる。
このように構成することで、照明用光源９からの光を遮ることなく、空気を送風させることができる。例えば、ファン５は、ケーシング部４の開口部１５ａで吸い込まれた空気が、ケーシング部４の内部を通って開口部１５ｂから吹き出される気流を生成する。このケーシング部４の内部では、ケーシング部４の内周面とソケット７に装着された照明用光源９との間に空気が送風される。従って、照明用光源９の形状と大きさによって、空気の向きと速さを変えることができる。さらに、照明用光源９の形状と大きさに応じて照明の配光範囲も変えることができる。
【００３８】
実施の形態１に係る送風装置１，１Ａにおいて、支持部１０は、板状部材１０ａ、複数の支柱１０ｂおよび化粧カバー１３を備える。
板状部材１０ａには、上面に引掛けシーリングキャップ１１が取り付けられる。複数の支柱１０ｂは、板状部材１０ａにおける下面から突出して設けられて、ケーシング部４における上方の端部に取り付けられる。化粧カバー１３は、板状部材１０ａにおける上面の外縁に沿って突出して設けられ、上面に取り付けられた引掛けシーリングキャップ１１の周りを囲んでいる。
このように構成することで、天井面２に設けられた引掛けシーリングボディ３と支持部１０に取り付けられた引掛けシーリングキャップ１１との両方が化粧カバー１３によって外部に露出しない。これにより、送風装置１，１Ａがさらにスッキリした外観となって、デザイン性が向上する。
【００３９】
さらに、実施の形態１に係る送風装置１，１Ａは、板状部材１０ａにおける上面で化粧カバー１３により囲まれた空間内に設けられた制御回路部１２を備える。
このように、ケーシング部４とは別に設けられた支持部１０の内部に制御回路部１２が配置されるので、埃、または湯気などの外乱を受けても、ファン５と電動機６の送風機能および照明用光源９の照明機能に影響を与えることなく、制御回路部１２を設けることができる。
【００４０】
さらに、実施の形態１に係る送風装置１，１Ａにおいて、制御回路部１２は、電動機６の動作と照明用光源９の照明状態を制御する制御回路１２ａ、入力コード接続部１２ｂ、出力コード接続部１２ｃ，１２ｄ、リモコン受光部１２ｅを備える。
このように構成することで、制御回路部１２が、リモコン１００から受信した制御信号に応じて、電動機６の動作と照明用光源９の照明状態とを個別に制御することができる。
【００４１】
さらに、実施の形態１に係る送風装置１，１Ａにおいて、制御回路１２ａは、電動機６の回転方向を切り替える。これにより、開口部１５ａから空気を吸い込んで開口部１５ｂから吹き出す空気の流れと、開口部１５ｂから空気を吸い込んで開口部１５ａから吹き出す空気の流れとを切り替えることができる。従って、サーキュレーション用途、涼風用途などの用途に応じて風向きを変えることができる。
【００４２】
実施の形態２．
図９は、この発明の実施の形態２に係る送風装置１Ｂの構成を示す断面図であり、室内の天井面２に送風装置１Ｂを取り付けた様子を示している。送風装置１Ｂは、送風装置１と基本的な構造は類似しているが、ケーシング部４の代わりにケーシング部４Ａを備える点で異なっている。ケーシング部４Ａは、内筒部４−１と外筒部４−２とが入れ子状に組み合わされた構造を有している。
【００４３】
内筒部４−１は、両方の端部が開口した円筒形状を有しており、上端部側から下端部側へ向けて、ファン５、電動機６、ソケット７が順に内部に配置されている。
外筒部４−２は、内筒部４−１と同様に両方の端部が開口した円筒形状を有しており、上端側の開口部に内筒部４−１が通されている。
また、外筒部４−２は、その内周面を内筒部４−１の外周面に接触させた状態で軸方向に沿って移動することができる。外筒部４−２が下方向に移動すると、ケーシング部４Ａが伸長し、外筒部４−２が上方向に移動すると、ケーシング部４Ａが縮小する。
【００４４】
固定部１７は、外筒部４−２の移動位置を固定する。図９では、外筒部４−２を内筒部４−１にねじ止めしている。なお、固定部１７は、ねじ止めに限定されるものではない。
例えば、内筒部４−１に設けた係合凹部に外筒部４−２に設けた係合凸部を嵌合させて外筒部４−２の移動位置を固定してもよい。すなわち、固定部１７は、ケーシング部４Ａの外観を損なわない範囲内で、外筒部４−２の移動位置を固定できるものであれば、他の固定方法を採用してもよい。
【００４５】
図１０Ａは、ケーシング部４Ａを伸長させた送風装置１Ｂの外観、風ベクトルＡ１，Ｂ５および電球９ｂの配光範囲Ｃ４を示す側面図である。また、図１０Ｂは、ケーシング部４Ａを縮小させた送風装置１Ｂの外観、風ベクトルＡ１，Ｂ６および電球９ｂの配光範囲Ｃ５を示す側面図である。
ファン５を正回転させることで、天井面２の近傍の空気は、風ベクトルＡ１で示す気流となって開口部１５ａに吸い込まれる。
【００４６】
図１０Ａにおいて、ケーシング部４Ａは、外筒部４−２が下方向に移動して伸長されており、外筒部４−２の下端部から電球９ｂがほとんど露出していない。このとき、開口部１５ａから吸い込まれた空気は、ケーシング部４Ａの内周面と電球９ｂとの間を通って、風ベクトルＢ５で示す気流となる。風ベクトルＢ５の空気は、ケーシング部４Ａの直下に向かって吹き出される。
また、電球９ｂから照射された光は、外筒部４−２の下端部により遮られるので、ほぼ直下方向の配光範囲Ｃ４となる。
【００４７】
図１０Ｂにおいて、ケーシング部４Ａは、外筒部４−２が上方向に移動して縮小されており、外筒部４−２の下端部から電球９ｂがほとんど露出している。このとき、開口部１５ａから吸い込まれた空気は、ケーシング部４Ａの内周面とソケット７Ａとの間を通り、風ベクトルＢ６で示す気流となる。風ベクトルＢ６の空気は、電球９ｂに沿って吹き出される。また、電球９ｂから照射された光は、外筒部４−２によってほとんど遮られないので、より広い配光範囲Ｃ５となる。
【００４８】
図１１Ａは、ケーシング部４Ａを伸長させた送風装置１Ｃの外観、風ベクトルＡ１，Ｂ７およびフラット型電球９ｄの配光範囲Ｃ６を示す側面図である。
また、図１１Ｂは、ケーシング部４Ａを縮小させた送風装置１Ｃの外観、風ベクトルＡ１，Ｂ８およびフラット型電球９ｄの配光範囲Ｃ７を示す側面図である。
【００４９】
送風装置１Ｃは、送風装置１Ｂと基本的な構造は同一であるが、ソケット７の代わりにソケット７Ａを備え、さらに風向き変更カバー１８を備える点で異なっている。
ソケット７Ａは、ＧＸ５３−１ａ口金に対応した装着部７Ａ−１を備えており、装着部７Ａ−１にフラット型電球９ｄが装着される。ソケット７Ａは、電源出力コード１４ｃを通して供給された電力によって、装着部７Ａ−１に装着されたフラット型電球９ｄを発光させる。
【００５０】
風向き変更カバー１８は、一端側に大径開口部、他端側に小径開口部を有したホーン状の部材であり、大径開口部から小径開口部に向けてテーパ状に縮径されている。この小径開口部をソケット７Ａの外周側に取り付けることで、フラット型電球９ｄは、風向き変更カバー１８の内部に配置される。これにより、風向き変更カバー１８は、フラット型電球９ｄへ向かう空気の流れを遮って、その向きを変更する。
【００５１】
ファン５を正回転させることで、天井面２の近傍の空気は、風ベクトルＡ１で示す気流となって開口部１５ａに吸い込まれる。
図１１Ａにおいて、ケーシング部４Ａは、外筒部４−２が下方向に移動して伸長されており、フラット型電球９ｄは外筒部４−２の内部に隠れている。
開口部１５ａから吸い込まれた空気は、ケーシング部４Ａの内周面と風向き変更カバー１８の外周面との間を通って、風ベクトルＢ７で示す気流となる。風ベクトルＢ７の空気は、ケーシング部４Ａの直下に向かって吹き出される。
また、フラット型電球９ｄから照射された光は、外筒部４−２の下端部により遮られるので、ほぼ直下方向の配光範囲Ｃ６となる。
【００５２】
図１１Ｂにおいて、ケーシング部４Ａは、外筒部４−２が上方向に移動して縮小されており、外筒部４−２の下端部からフラット型電球９ｄがほとんど露出している。
開口部１５ａから吸い込まれた空気は、ケーシング部４Ａの内周面と風向き変更カバー１８の外周面との間を通って、風ベクトルＢ８で示す気流となる。風ベクトルＢ８の空気は、風向き変更カバー１８の外周面に沿って吹き出される。
また、フラット型電球９ｄから照射された光は外筒部４−２で遮られないのでより広い配光範囲Ｃ７となる。
【００５３】
これまでの説明では、ケーシング部４Ａが遮光性の材料で形成された場合を示したが、ケーシング部４Ａの一部または全部が、半透明または透明の樹脂で形成されてもよい。
例えば、外筒部４−２の下側半分を半透明または透明の材料で形成し、その以外の部分を遮光性の材料で形成することで、ケーシング部４を縮小させた状態における配光範囲を拡げることができる。ケーシング部４Ａに半透明または透明とする部分と遮光性の部分とを設けることにより、照明用光源９の種類を変えなくても、照射の配光範囲を変えることができる。
【００５４】
また、これまで、内筒部４−１に対して外筒部４−２が移動することで、ケーシング部４Ａが伸縮する構成を示したが、これに限定されるものではない。
例えば、支持部１０が取り付けられる筒部を外筒部として、ファン５、電動機６およびソケット７を収容し、外筒部の下端部に内筒部を設けた構成であってもよい。この場合、外筒部に対して内筒部が移動することで、ケーシング部が伸縮することになる。このように構成しても、上記と同様の効果が得られる。
【００５５】
以上のように、実施の形態２に係る送風装置１Ｂ，１Ｃにおけるケーシング部４Ａは、内筒部４−１と外筒部４−２とが伸縮自在に入れ子状に組み合わされた構造を有する。
このように構成することで、照明用光源９を変えなくても、外筒部４−２の移動位置と照明用光源９の外筒部４−２からの露出度合いとに応じて風ベクトルと配光範囲を変えることができる。
【００５６】
また、実施の形態２に係る送風装置１Ｂ，１Ｃにおけるケーシング部４Ａの一部または全部は、半透明または透明である。このように、ケーシング部４Ａにおいて半透明または透明にする部分と遮光する部分との組み合わせにより、照明用光源９から照射された光の配光範囲を変えることができる。
【００５７】
実施の形態３．
図１２は、この発明の実施の形態３に係る送風装置１Ｄの構成を示す断面図であって、室内の天井面２に送風装置１Ｄを取り付けた様子を示している。
送風装置１Ｄは、送風装置１Ｂと基本的な構造は類似しているが、ケーシング部４Ａの代わりにケーシング部４Ｂを備える点で異なっている。
【００５８】
ケーシング部４Ｂは、内筒部４−１と外筒部４−３とが入れ子状に組み合わされた構造を有している。内筒部４−１の外周面と外筒部４−３の内周面との間には、内筒部４−１の外径を小さくするか、もしくは外筒部４−３の内径を大きくすることで、内筒部４−１の外径と外筒部４−３の内径との差に相当する隙間１５ｄが構成されている。
外筒部４−３の内周部には、複数のスペーサ４ｃが設けられている。これらのスペーサ４ｃによって、内筒部４−１の外周面と外筒部４−３の内周面との間の隙間１５ｄが維持される。なお、隙間１５ｄを維持するためのスペーサは、内筒部４−１の外周側に設けてもよく、内筒部４−１の外周面と外筒部４−３の内周面との両方に設けてもよい。
【００５９】
また、外筒部４−３は、ケーシング部４Ａと同様に、スペーサ４ｃを内筒部４−１の外周面に接触させた状態で軸方向に沿って移動可能である。外筒部４−３が下方向に移動すると、ケーシング部４Ｂが伸長し、外筒部４−３が上方向に移動した場合は、ケーシング部４Ｂが縮小する。例えば、スペーサ４ｃに貫通ねじ穴を設けておき、外筒部４−３の外周側からねじを上記貫通ねじ穴にねじ込んで外筒部４−３を内筒部４−１にねじ止めすることにより、外筒部４−３の移動位置を固定してもよい。
なお、内筒部４−１に対して外筒部４−３が軸方向に移動する構造とせず、ケーシング部４Ｂを予め定められた長さに固定してもよい。
【００６０】
次に、図１２を用いて送風装置１Ｄの送風動作について説明する。
ファン５を正回転させることで、天井面２の近傍の空気は、風ベクトルＡ１で示す気流となって開口部１５ａに吸い込まれる。このとき、隙間１５ｄの近傍の空気も風ベクトルＢ９によって誘引され、風ベクトルＡ３で示す気流となって隙間１５ｄに吸い込まれる。
【００６１】
開口部１５ａに吸い込まれた空気は、内筒部４−１の内周面とソケット７および照明用光源９との間を通って風ベクトルＢ９で示す気流となる。風ベクトルＢ９の空気は、内筒部４−１の直下に向かって開口部１５ｂから吹き出され、隙間１５ｄに吸い込まれた空気と合流する。
【００６２】
このように合流された空気は、外筒部４−３の内周面と照明用光源９との間を通ることにより、風ベクトルＢ１０で示すような気流となる。風ベクトルＢ１０の空気は、開口部１５ａに吸い込まれたときよりも空気量が増加しており、ケーシング部４Ｂの直下に向かって開口部１５ｃから吹き出される。
【００６３】
以上のように、実施の形態３に係る送風装置１Ｄにおいて、ファン５は、ケーシング部４Ｂにおける開口部１５ａに加え、内筒部４−１の外周面と外筒部４−３の内周面との隙間１５ｄを吸い込み口として空気を送風する。
このように構成することで、開口部１５ａから吸い込まれた空気と隙間１５ｄから吸い込まれた空気によってケーシング部４Ｂから吹き出される空気の空気量が増加する。これにより、室内空間におけるサーキュレーション効果を向上させることができる。
【００６４】
実施の形態４．
図１３は、この発明の実施の形態４に係る送風装置１Ｅの構成を示す断面図であって、室内の天井面２に送風装置１Ｅを取り付けた様子を示している。
送風装置１Ｅは、送風装置１Ａと基本的な構造は類似しているが、ケーシング部４の下端部にリモコン受光部１２ｅが設けられている点で異なっている。
また、送風装置１Ｅは、人感センサ１２ｇも備えている。
【００６５】
信号線１２ｈは、制御回路１２ａと受光ユニット１２ｉとを電気的に接続する信号線である。受光ユニット１２ｉは、この発明における受信ユニットを具体化したものであり、ケーシング部４の下端内周部に設けられて、リモコン受光部１２ｅを有する。
リモコン受光部１２ｅは、実施の形態１と同様に機能する受信部であり、図１３に示すように、制御回路１２ａから分離して受光ユニット１２ｉに設けられている。
リモコン受光部１２ｅに受信された制御信号は、信号線１２ｈを通って制御回路１２ａに入力される。これにより、制御回路１２ａは、リモコン受光部１２ｅによって受信された制御信号に基づいて、電動機６の動作を制御し、フラット型電球５ｄの照明状態を制御する。
【００６６】
また、リモコン受光部１２ｅの受光面は、ケーシング部４の下端開口から下方に向いており、送風装置１Ｅの下側でリモコン１００から送信された制御信号を受光する。
このようにリモコン受光部１２ｅをケーシング部４に設けることで、送風装置１Ｅ下側からのリモコン１００の操作を受信しやすくなる。
なお、ケーシング部４の下端開口から下方に受光面が向いた構成を示したが、例えば、リモコン受光部１２ｅの受光面をケーシング部４の外周部に設けてもよい。
【００６７】
人感センサ１２ｇは、人体の存否を検知するセンサであり、図１３に示す例では、受光ユニット１２ｉに設けられている。
また、人感センサ１２ｇの検知面はケーシング部４の下端開口から下方に向いている。これにより、人感センサ１２ｇは、フラット型電球５ｄの照明エリア内の人体の存否を検知する。制御回路１２ａは、信号線１２ｈを通して人感センサ１２ｇの検知信号を入力する。例えば、人感センサ１２ｇにより人体の存在が検知されると、制御回路１２ａは、人体の存在および送風装置１Ｅからの人体の方向に基づいて、電動機６の動作を制御するか、あるいは、フラット型電球５ｄの照明状態を制御する。このように人体の存否に応じて送風装置１Ｅの動作を制御することが可能となる。
【００６８】
なお、人感センサ１２ｇの検知面が、ケーシング部４の下端開口から下方に向いている場合を示したが、例えば、人感センサ１２ｇの検知面をケーシング部４の外周部に設けてもよい。また、人感センサ１２ｇを制御回路部１２に設けてもよい。この場合、例えば、化粧カバー１３の外周部に人感センサ１２ｇの検知面が設けられる。
これらのように構成しても、送風装置１Ｅ周辺の人体の存否を検知でき、人体の存否に応じた送風装置１Ｅの制御が可能である。
【００６９】
なお、リモコン受光部１２ｅを有する受光ユニット１２ｉおよび人感センサ１２ｇを、実施の形態２で示したケーシング部４Ａまたは実施の形態３で示したケーシング部４Ｂに設けてもよい。このように構成しても、上記と同様の効果を得ることができる。
【００７０】
以上のように、実施の形態４に係る送風装置１Ｅは、受光ユニット１２ｉを備える。
受光ユニット１２ｉは、ケーシング部４に設けられて、リモコン１００から送信された制御信号を受光するリモコン受光部１２ｅを有する。制御回路部１２は、電動機６の動作と照明用光源９の照明状態を制御する制御回路１２ａ、入力コード接続部１２ｂ、出力コード接続部１２ｃ，１２ｄを備える。制御回路１２ａは、リモコン受光部１２ｅによって受信された制御信号に基づいて、電動機６の動作を制御し、フラット型電球５ｄの照明状態を制御する。このように構成することにより、送風装置１Ｅ下側からのリモコン１００の操作を受信しやすくなる。
【００７１】
また、実施の形態４に係る送風装置１Ｅは、人感センサ１２ｇを備えており、制御回路１２ａは、人感センサ１２ｇにより検知された人体の存否に応じて、電動機６の動作を制御し、フラット型電球５ｄの照明状態を制御する。人感センサ１２ｇは、制御回路部１２または受光ユニット１２ｉに設けられている。このように構成することで、人体の存否に応じて送風装置１Ｅの動作を制御することが可能となる。
【００７２】
なお、本発明はその発明の範囲内において、各実施の形態の自由な組み合わせあるいは各実施の形態の任意の構成要素の変形、もしくは各実施の形態において任意の構成要素の省略が可能である。
【符号の説明】
【００７３】
１，１Ａ〜１Ｄ  送風装置、２  天井面、３  引掛けシーリングボディ、４，４Ａ，４Ｂ  ケーシング部、４−１  内筒部、４−２，４−３  外筒部、４ａ，４ｂ  取り付け脚部、４ｃ  スペーサ、５  ファン、６  電動機、７，７Ａ  ソケット、７−１，７Ａ−１  装着部、７Ａ−２  差込穴、８  取り付け部材、８ａ，１０ａ  板状部材、８ｂ  脚部、９  照明用光源、９ａ〜９ｄ  電球、９ｄ−１，１１ａ  係合爪、１０  支持部、１０ｂ  支柱、１０ｃ  収容ボックス部、１０ｄ  固定ルーバー、１１  引掛けシーリングキャップ、１２  制御回路部、１２ａ  制御回路、１２ｂ  入力コード接続部、１２ｃ，１２ｄ  出力コード接続部、１２ｅ  リモコン受光部、１２ｆ  受光用窓、１２ｇ  人感センサ、１２ｈ  信号線、１２ｉ  受光ユニット、１３  化粧カバー、１４ａ  電源入力コード、１４ｂ，１４ｃ  電源出力コード、１５ａ，１５ｂ，１５ｃ  開口部、１５ｄ  隙間、１６  ベルマウス、１７  固定部、１８  風向き変更カバー、１００  リモコン。
【図１】
2018003771.tif 000003
【図２】
2018003771.tif 000004
【図３】
2018003771.tif 000005
【図４】
2018003771.tif 000006
【図５】
2018003771.tif 000007
【図６】
2018003771.tif 000008
【図７】
2018003771.tif 000009
【図８】
2018003771.tif 000010
【図９】
2018003771.tif 000011
【図１０】
2018003771.tif 000012
【図１１】
2018003771.tif 000013
【図１２】
2018003771.tif 000014
【図１３】
2018003771.tif 000015